【手続補正書】
【提出日】平成16年8月4日(2004.8.4)
【手続補正１】
【補正対象書類名】明細書
【補正対象項目名】全文
【補正方法】変更
【補正の内容】
【書類名】      明細書
【発明の名称】  紙製引起し箱
【特許請求の範囲】
【請求項１】  ４辺Ａ〜Ｄを備える四角形の箱底部１１、及び前記４辺Ａ〜Ｄに折り目ａ１〜ｄ１を介してそれぞれ連接される側壁を有する紙製引起し箱であって、
前記折り目ａ１、ｃ１を介して連接される一方側の対向する前記側壁は、組立状態では箱の外側壁となる外壁部Ａ１、Ｃ１とこれに折り目ａ２、ｃ２を介して連結される内壁部Ａ２、Ｃ２を備え、
隣り合う前記側壁の側端に折り目１２、１３を介して連結され、前記箱底部１１の角部ａ〜ｄに基端を発する内折り目１４がそれぞれ設けられ、組立状態では、前記外壁部Ａ１と内壁部Ａ２との間、及び前記外壁部Ｃ１と内壁部Ｃ２との間に折り込まれる側板連結片Ｅ１〜Ｈ１を備え、
また、前記内壁部Ａ２、Ｃ２の両側部には突出部Ａ１５、Ａ１６及びＣ１５、Ｃ１６をそれぞれ備えると共に、前記折り目ｂ１、ｄ１を介して連結される他方側の対向する前記側壁の両端部に、組立時に該突出部Ａ１５、Ａ１６及びＣ１５、Ｃ１６がそれぞれ嵌入して止まる掛合穴Ｂ５、Ｂ６及びＤ５、Ｄ６を設け、
更に、前記他方側の側壁を前記箱底部１１に当接した平面状態から、全部の前記側壁を引き起し、前記突出部Ａ１５、Ａ１６及びＣ１５、Ｃ１６をそれぞれ前記掛合穴Ｂ５、Ｂ６及びＤ５、Ｄ６に嵌入させて組み立てることを特徴とする紙製引起し箱。
【請求項２】  ４辺Ａ〜Ｄを備える四角形の箱底部１１、及び前記４辺Ａ〜Ｄに折り目ａ１〜ｄ１を介してそれぞれ連接される側壁を有する紙製引起し箱であって、
前記折り目ａ１、ｃ１を介して連接される一方側の対向する前記側壁は、組立状態では箱の外側壁となる外壁部Ａ１、Ｃ１とこれに折り目ａ２、ｃ２を介して連結される内壁部Ａ２、Ｃ２を備え、
隣り合う前記側壁の側端に折り目１２、１３を介して連結され、前記箱底部１１の角部ａ〜ｄに基端を発する内折り目１４がそれぞれ設けられ、組立状態では、前記外壁部Ａ１と内壁部Ａ２との間、及び前記外壁部Ｃ１と内壁部Ｃ２との間に折り込まれる側板連結片Ｅ１〜Ｈ１を備え、
しかも、前記内壁部Ａ２、Ｃ２の横幅は前記辺Ａ、Ｃより僅少の範囲で狭くなって、その中央部には、切り目ａ４、ａ５及びｃ４、ｃ５が左右対称に均等配置され、表面側は前記外壁部Ａ１、Ｃ１に接合される接合部Ａ７、Ｃ７がそれぞれ形成されていると共に、前記内壁部Ａ２、Ｃ２には、前記外壁部Ａ１、Ｃ１の連結部分の両端部ａ９、ａ１０及びｃ９、ｃ１０から、前記切り目ａ４、ａ５及びｃ４、ｃ５に向かい、組立状態では平面状となる折り目ａ１３、ａ１４及びｃ１３、ｃ１４が形成され、
また、前記内壁部Ａ２、Ｃ２の両側部には突出部Ａ１５、Ａ１６及びＣ１５、Ｃ１６をそれぞれ備えると共に、前記折り目ｂ１、ｄ１を介して連結される他方側の対向する前記側壁の両端部に、組立時に該突出部Ａ１５、Ａ１６及びＣ１５、Ｃ１６がそれぞれ嵌入して止まる掛合穴Ｂ５、Ｂ６及びＤ５、Ｄ６を設け、
更に、前記他方側の側壁を前記箱底部１１に当接した平面状態から、全部の前記側壁を引き起し、前記突出部Ａ１５、Ａ１６及びＣ１５、Ｃ１６をそれぞれ前記掛合穴Ｂ５、Ｂ６及びＤ５、Ｄ６に嵌入させて組み立てることを特徴とする紙製引起し箱。
【請求項３】  請求項１及び２のいずれか１項に記載の紙製引起し箱において、前記折り目ａ２、ｃ２は二重線折り目であることを特徴とする紙製引起し箱。
【発明の詳細な説明】
【０００１】
【発明の属する技術分野】
本発明は、平面状に折り畳んで搬送や保管をすることができ、使用にあっては簡単な操作で全体を組み立てることができる箱本体（即ち、下箱）及びこれに被せる上箱（蓋箱）に適用できる紙製引起し箱に関する。
【０００２】
【従来の技術】
従来、菓子箱は箱本体とその上に被せる上箱とからなって、立体的であるので、保管及び搬送の場合に嵩張るという問題があった。
そこで、本出願人は、先に実開昭６４−３５８２０号公報の記載において、四角形の箱底の周辺に折り曲げ可能な内壁部と外壁部とからなる側壁を設けると共に、隣り合う外壁部を折り曲げ可能な側板連結片で連結し、更に、対向する内壁部の両側に三角状の折り曲げ部を設けると共に、その内側を外壁部に接合した紙製引起し箱を提案した。この紙製引起し箱を使用することによって、紙製引起し箱を平面状に折り畳めて保管、搬送ができ、更に使用する場合には、簡単な操作で周囲の内壁部及び外壁部を引き起こして、箱として使用できるようになっていた。
【０００３】
【発明が解決しようとする課題】
しかしながら、前記公報記載の紙製引起し箱においては、最終の組立の段階で、側板連結片をそれぞれ対向する内壁部と外壁部の間に挟んで、内壁部の両側の三角状の折り曲げ部を固定するのに、感圧式接着剤を使用していたので、感圧式接着剤が新しいうちは支障がないが、古くなると接着剤が働かず、組立ができない場合があるという問題があった。
【０００４】
ここで、両面テープを使用することも考えられるが、接合する折り曲げ部は裏側であるので、組立時に保護テープを剥がすのが面倒であり、更には不用意に接着剤を働かせると、組み立てた紙製引起し箱が歪むという問題があった。
【０００５】
また、前記公報記載の紙製引起し箱においては、箱底の周辺に折り曲げ可能に連結されている外壁部及びその外側に連結されている内壁部の連結折り曲げ線は一本であったので、使用する紙が薄い場合には良いが、少し厚くなると折り曲げ難く、更には、接着剤を使用しないで組み立てる場合には、最終的に内壁部の折り曲げ部分を掛止する必要があるが、外壁部と内壁部との間に隙間がないので、処置に困るという問題が発生した。
本発明はかかる事情に鑑みてなされたもので、搬送や保管時は偏平に形成し、使用時に、接着剤等を主体として用いることなく組立が可能な紙製引起し箱を提供することを目的とする。
【０００６】
【課題を解決するための手段】
前記目的に沿う請求項１記載の紙製引起し箱は、４辺Ａ〜Ｄを備える四角形の箱底部１１、及び前記４辺Ａ〜Ｄに折り目ａ１〜ｄ１を介してそれぞれ連接される側壁を有する紙製引起し箱であって、
前記折り目ａ１、ｃ１を介して連接される一方側の対向する前記側壁は、組立状態では箱の外側壁となる外壁部Ａ１、Ｃ１とこれに折り目ａ２、ｃ２を介して連結される内壁部Ａ２、Ｃ２を備え、
隣り合う前記側壁の側端に折り目１２、１３を介して連結され、前記箱底部１１の角部ａ〜ｄに基端を発する内折り目１４がそれぞれ設けられ、組立状態では、前記外壁部Ａ１と内壁部Ａ２との間、及び前記外壁部Ｃ１と内壁部Ｃ２との間に折り込まれる側板連結片Ｅ１〜Ｈ１を備え、
また、前記内壁部Ａ２、Ｃ２の両側部には突出部Ａ１５、Ａ１６及びＣ１５、Ｃ１６をそれぞれ備えると共に、前記折り目ｂ１、ｄ１を介して連結される他方側の対向する前記側壁の両端部に、組立時に該突出部Ａ１５、Ａ１６及びＣ１５、Ｃ１６がそれぞれ嵌入して止まる掛合穴Ｂ５、Ｂ６及びＤ５、Ｄ６を設け、
更に、前記他方側の側壁を前記箱底部１１に当接した平面状態から、全部の前記側壁を引き起し、前記突出部Ａ１５、Ａ１６及びＣ１５、Ｃ１６をそれぞれ前記掛合穴Ｂ５、Ｂ６及びＤ５、Ｄ６に嵌入させて組み立てている。
【０００７】
また、請求項２記載の紙製引起し箱は、４辺Ａ〜Ｄを備える四角形の箱底部１１、及び前記４辺Ａ〜Ｄに折り目ａ１〜ｄ１を介してそれぞれ連接される側壁を有する紙製引起し箱であって、
前記折り目ａ１、ｃ１を介して連接される一方側の対向する前記側壁は、組立状態では箱の外側壁となる外壁部Ａ１、Ｃ１とこれに折り目ａ２、ｃ２を介して連結される内壁部Ａ２、Ｃ２を備え、
隣り合う前記側壁の側端に折り目１２、１３を介して連結され、前記箱底部１１の角部ａ〜ｄに基端を発する内折り目１４がそれぞれ設けられ、組立状態では、前記外壁部Ａ１と内壁部Ａ２との間、及び前記外壁部Ｃ１と内壁部Ｃ２との間に折り込まれる側板連結片Ｅ１〜Ｈ１を備え、
しかも、前記内壁部Ａ２、Ｃ２の横幅は前記辺Ａ、Ｃより僅少の範囲で狭くなって、その中央部には、切り目ａ４、ａ５及びｃ４、ｃ５が左右対称に均等配置され、表面側は前記外壁部Ａ１、Ｃ１に接合される接合部Ａ７、Ｃ７がそれぞれ形成されていると共に、前記内壁部Ａ２、Ｃ２には、前記外壁部Ａ１、Ｃ１の連結部分の両端部ａ９、ａ１０及びｃ９、ｃ１０から、前記切り目ａ４、ａ５及びｃ４、ｃ５に向かい、組立状態では平面状となる折り目ａ１３、ａ１４及びｃ１３、ｃ１４が形成され、
また、前記内壁部Ａ２、Ｃ２の両側部には突出部Ａ１５、Ａ１６及びＣ１５、Ｃ１６をそれぞれ備えると共に、前記折り目ｂ１、ｄ１を介して連結される他方側の対向する前記側壁の両端部に、組立時に該突出部Ａ１５、Ａ１６及びＣ１５、Ｃ１６がそれぞれ嵌入して止まる掛合穴Ｂ５、Ｂ６及びＤ５、Ｄ６を設け、
更に、前記他方側の側壁を前記箱底部１１に当接した平面状態から、全部の前記側壁を引き起し、前記突出部Ａ１５、Ａ１６及びＣ１５、Ｃ１６をそれぞれ前記掛合穴Ｂ５、Ｂ６及びＤ５、Ｄ６に嵌入させて組み立てている。
【０００８】
請求項３記載の紙製引起し箱は、請求項１及び２のいずれか１項に記載の紙製引起し箱において、前記折り目ａ２、ｃ２は二重線折り目である。
【０００９】
【００１０】
【００１１】
【００１２】
【００１３】
【００１４】
【００１５】
【００１６】
【発明の実施の形態】
続いて、添付した図面を参照しつつ、本発明を具体化した実施の形態につき説明し、本発明の理解に供する。
【００１７】
（第１の実施の形態）
まず、図１を参照して、展開状態の本発明の第１の実施の形態に係る紙製引起し箱について説明する。なお、本実施の形態に係る紙製引起し箱は手で組み立てるのに適した構造を有する。
第１の実施の形態に係る紙製引起し箱１０は、紙の厚みが０．３〜１．２ｍｍの表面が化粧用の薄紙で覆われたボール紙（コートボール）からなり、４辺Ａ〜Ｄを備える四角形の箱底部１１と、４辺Ａ〜Ｄに折り目ａ１〜ｄ１を介してそれぞれ連接される外壁部Ａ１〜Ｄ１と、外壁部Ａ１〜Ｄ１の外辺に二重線折り目ａ２〜ｄ２を介してそれぞれ連結される内壁部Ａ２〜Ｄ２と、内壁部Ａ２、Ｃ２の外側に更に折り目ａ３、ｃ３を介して連結される箱底当接片Ａ５、Ａ６、Ｃ５、Ｃ６とから主として構成されていて、それぞれの外壁部Ａ１〜Ｄ１と内壁部Ａ２〜Ｄ２とにより二重の側壁を形成するようになっている。以下、詳細に説明する。なお、図中の破線は折り目を、外形線以外の実線は切り目又は切り込みを表すものとする。
【００１８】
箱底部１１は紙製引起し箱１０の底部を構成する４辺Ａ〜Ｄを備える四角形状（長方形又は正方形）としている。
外壁部Ａ１〜Ｄ１は箱底部１１の４辺Ａ〜Ｄに、幅が１．５〜２．５ｍｍ（この実施の形態では２ｍｍ）の折り目ａ１〜ｄ１を介してそれぞれ連接され、組立状態では箱の外側壁となる。外壁部Ａ１〜Ｄ１の外辺には、幅が１．５〜２．５ｍｍ（この実施の形態では２ｍｍ）の二重線折り目ａ２〜ｄ２を介して、それぞれ組立状態で箱の内側壁となる内壁部Ａ２〜Ｄ２が連結されている。また、隣り合う外壁部Ａ１〜Ｄ１の側端には折り目１２、１３を介して側板連結片Ｅ１〜Ｈ１が連結されている。側板連結片Ｅ１〜Ｈ１には、箱底部１１の角部ａ〜ｄに基端を発する内折り目１４がそれぞれ設けられており、組立状態では、側板連結片Ｅ１〜Ｈ１は外壁部Ａ１と内壁部Ａ２との間、及び外壁部Ｃ１と内壁部Ｃ２との間に折り込まれるようになっている。
【００１９】
内壁部Ａ２、Ｃ２は長方形状からなり、外壁部Ａ１、Ｃ１の外側に二重線折り目ａ２、ｃ２を介して連結され、しかも外側中央部には左右対称に均等配置された切り目ａ４、ａ５及びｃ４、ｃ５によって分離された箱底当接片Ａ５、Ａ６、Ｃ５、Ｃ６が連結されている。しかも、内壁部Ａ２、Ｃ２の横幅は辺Ａ、Ｃより僅少の範囲で狭くなっており、その中央部には、切り目ａ４、ａ５及びｃ４、ｃ５が更に内側まで延長され、その表面側は、組立て時に、外壁部Ａ１、Ｃ１に接着剤（例えば、感圧式接着剤）、両面テープが塗布又は設けられている接合部Ａ７、Ｃ７がそれぞれ形成されている。接合部Ａ７、Ｃ７は、内壁部Ａ２、Ｃ２に折り目ａ１７、ａ１８及びｃ１７、ｃ１８を介して連結されていて、接合部Ａ７、Ｃ７の幅は、内壁部Ａ２、Ｃ２の幅の１／５以下で１／１０以上となっている。この幅が１／５を超えると内壁部Ａ２、Ｃ２の折り畳みが困難となり、一方、１／１０未満では所定の接合力が得られない。また、接合部Ａ７、Ｃ７は、内壁部Ａ２、Ｃ２に折り目ａ１７、ａ１８及びｃ１７、ｃ１８を介して連結されているので、その製作が容易となる他、隙間を有して設けられた外壁部Ａ１、Ｃ１に無理なく接合することができる。
【００２０】
また、内壁部Ａ２、Ｃ２には、外壁部Ａ１、Ｃ１の連結部分の両端部ａ９、ａ１０及びｃ９、ｃ１０から、折り目ａ３、ｃ３と切り目ａ４、ａ５及びｃ４、ｃ５との各交点ａ１１、ａ１２及びｃ１１、ｃ１２に向かっている折り目ａ１３、ａ１４及びｃ１３、ｃ１４が形成されていて、折り目ａ１３、ａ１４及びｃ１３、ｃ１４は組立状態では平面状となるようになっている。
さらに、内壁部Ａ２、Ｃ２の外側両側部にはそれぞれ小さな四角形状の突出部Ａ１５、Ａ１６及びＣ１５、Ｃ１６が備えられており、突出部Ａ１５、Ａ１６及びＣ１５、Ｃ１６の突出長は紙厚の１〜４倍程度である。この突出長の範囲で、突出部Ａ１５、Ａ１６及びＣ１５、Ｃ１６を、掛合穴Ｂ５、Ｂ６、Ｄ５、Ｄ６に容易かつ確実に掛合できるからである。
内壁部Ｂ２、Ｄ２は長方形状からなり、展開状態では外壁部Ｂ１、Ｄ１の外側にそれぞれ二重線折り目ｂ２、ｄ２を介して連結されており、内壁部Ｂ２、Ｄ２の両側には折り目ｂ３、ｄ３を介して略三角形状の折り込み片Ｂ３、Ｂ４及びＤ３、Ｄ４が連結されていて、折り込み片Ｂ３、Ｂ４及びＤ３、Ｄ４は組立状態では外壁部Ａ１と内壁部Ａ２との間、及び外壁部Ｃ１と内壁部Ｃ２との間に折り込まれるようになっている。
【００２１】
箱底部１１の４辺Ａ〜Ｄに折り目ａ１〜ｄ１を介して外壁部Ａ１〜Ｄ１が、また外壁部Ａ１〜Ｄ１に二重線折り目ａ２〜ｄ２を介して内壁部Ａ２〜Ｄ２がそれぞれ連接されているので、折り畳まれた外壁部Ａ１〜Ｄ１と内壁部Ａ２〜Ｄ２との間に隙間が形成される。
内壁部Ｂ２、Ｄ２の両端部には、組立時に突出部Ａ１５、Ａ１６及びＣ１５、Ｃ１６がそれぞれ嵌入して止まる掛合穴Ｂ５、Ｂ６及びＤ５、Ｄ６が形成されていて、掛合穴Ｂ５、Ｂ６及びＤ５、Ｄ６は、内壁部Ｂ２、Ｄ２の外側両端から、突出部Ａ１５、Ａ１６及びＣ１５、Ｃ１６の紙厚の程度の幅で切り込みｂ９、ｂ１０及びｄ９、ｄ１０が形成されると共に、その端部が折り目ｂ３、ｄ３に向かう短い切り込みｂ１１、ｂ１２及びｄ１１、ｄ１２が形成されている。
【００２２】
箱底当接片Ａ５、Ａ６、Ｃ５、Ｃ６は内壁部Ａ２、Ｃ２の外側に折り目ａ３、ｃ３を介して連結されており、組立時に箱底部１１に当接するようになっている。
また、前記内壁部Ｂ２、Ｄ２の更に外側に、箱底当接片Ｂ７、Ｄ７が折り目ｂ８、ｄ８を介して設けられている。この箱底当接片Ｂ７、Ｄ７の幅は、前記した箱底当接片Ａ５、Ａ６、Ｃ５、Ｃ６の幅と略同一となっている。
【００２３】
展開状態で以上の構成となった紙製引起し箱１０の工場での一次組立の方法の一例について、図１〜図３を参照しながら説明する。
それぞれの箱底当接片Ｂ７、Ｄ７が外側に設けられている内壁部Ｂ２、Ｄ２を二重線折り目ｂ２、ｄ２を介して内側に１８０度折り曲げて、外壁部Ｂ１、Ｄ１に重ねる。この場合、内壁部Ｂ２、Ｄ２の両側に設けられている折り込み片Ｂ３、Ｂ４、Ｄ３、Ｄ４は、側板連結片Ｅ１〜Ｈ１に重なることになる。次に、外壁部Ｂ１、Ｄ１を折り目ｂ１、ｄ１を介して内側に１８０度折り曲げる。
【００２４】
この状態で、内壁部Ａ２、Ｃ２を二重線折り目ａ２、ｃ２を介して内側に１８０度曲げて、接合部Ａ７、Ｃ７を外壁部Ａ１、Ｃ１の内側に接合する。この場合、内壁部Ａ２、Ｃ２と、外壁部Ａ１、Ｃ１が平行になるように、折り目ａ１７、ａ１８、ｃ１７、ｃ１８を利用して、接合部Ａ７、Ｃ７の接合位置を二重線折り目ａ２、ｃ２側にする。図２にこの状態を示しており、紙製引起し箱１０は平面状に保持されるので、嵩張らず、搬送が容易であるという特徴がある。
【００２５】
なお、紙製引起し箱１０を円滑に組み立てる必要性から、折り目ａ１３、ａ１４、及びｃ１３、ｃ１４については、外側に十分な折り目癖を付けておくか、１８０度折り返しておくのが好ましい。図３は、理解を容易にするため、外壁部Ｂ１、Ｄ１を９０度曲げた状態で、外壁部Ｃ１、内壁部Ｃ２を開いた状態の紙製引起し箱１０を示している。
【００２６】
この平面状に折り畳まれた紙製引起し箱１０を使用状態の箱に組み立てる手順について、図４及び図５を参照して説明する。
図４（ａ）の状態にある紙製引起し箱１０において、対となる外壁部Ｂ１、Ｄ１を、図４（ｂ）及び図５に示すように、矢印Ｐ、Ｑのように徐々に引き起こすと、側板連結片Ｅ１〜Ｈ１が、外壁部Ａ１、Ｃ１と内壁部Ａ２、Ｃ２の間に折り込まれているので、外壁部Ａ１、Ｃ１が連動して起き上がる。この場合、内壁部Ａ２、Ｃ２の左右対称に形成された斜めの折り目ａ１３、ａ１４、ｃ１３、ｃ１４によって、内壁部Ａ２、Ｃ２の両側部Ａ１７、Ａ１８、Ｃ１７、Ｃ１８が図５に示すように、上方に折れ曲がり、この状態で、外壁部Ａ１、Ｃ１を箱底部１１に対して直角状態に立てる。これによって、側板連結片Ｅ１〜Ｈ１及び折り込み片Ｂ３、Ｂ４、Ｄ３、Ｄ４は、外壁部Ａ１、Ｃ１に当接状態で外壁部Ａ１、Ｃ１と内壁部Ａ２、Ｃ２の間に折り込まれることになる。
【００２７】
その後、図４（ｃ）に示すように、両方の手の平で、外壁部Ａ１、Ｃ１を挟んで、立ち上がるまで押し立てる。
ここで、折り込み片Ｂ３、Ｂ４、Ｄ３、Ｄ４が内壁部Ｂ２、Ｄ２に対して直角に曲がると、切り込みｂ９、ｂ１０、ｄ９、ｄ１０と、短い切り込みｂ１１、ｂ１２、ｄ１１、ｄ１２によって形成される突出短片も、折り込み片Ｂ３、Ｂ４、Ｄ３、Ｄ４と同時に曲がり、内壁部Ｂ２、Ｄ２のこの部分に、掛合穴Ｂ５、Ｂ６、Ｄ５、Ｄ６が形成されることになる。なお、図６の左上に示す詳細図には、内壁部Ａ２の一部を切り欠いた状態の矢印Ｓから見た状態の掛合穴Ｄ６を示している。
【００２８】
以上のようにして紙製引起し箱１０を、略組み立てた状態で、図４（ｄ）に示すように、押し立てた手を、そのまま、親指で手前の内壁部Ａ２、Ｃ２につけて、押し曲げられた両側部Ａ１７、Ｃ１８の突出部Ａ１５、Ｃ１６を内壁部Ｄ２の掛合穴Ｄ６、Ｄ５に嵌合する。
次に、図４（ｅ）に示すように、残された反対側の押し曲げられた両側部Ａ１８、Ｃ１７の突出部Ａ１６、Ｃ１５を内壁部Ｂ２の掛合穴Ｂ５、Ｂ６に嵌合し、組立が完成する。
【００２９】
ここで、外壁部Ｂ１、Ｄ１と内壁部Ｂ２、Ｄ２は折り目ｂ１、ｄ１及び二重線折り目ｂ２、ｄ２を介して折り曲げられているので、それぞれの外壁部Ｂ１、Ｄ１と内壁部Ｂ２、Ｄ２との間に隙間を有し、これによって、掛合穴Ｂ５、Ｂ６、Ｄ５、Ｄ６の深さが紙厚より十分深くなって、それぞれに対応する突出部Ａ１５、Ａ１６、Ｃ１５、Ｃ１６が十分に嵌入する深さを備えている。更には、図５のように、一旦組み立てた紙製引起し箱１０を、突出部Ａ１５、Ａ１６、Ｃ１５、Ｃ１６の掛合状態を外して平面状にすることもできる。
【００３０】
（第２の実施の形態）
次に、本発明の第２の実施の形態に係る紙製引起し箱２０を図７、図８を参照しながら説明する。なお、前記第１の実施の形態に係る紙製引起し箱１０と基本的に同一の構成要素については同一の番号を付してその詳しい説明を省略し、少し異なる構成要素については、第１の実施の形態に係る紙製引起し箱１０の符号に更に「′」を付けて説明する。
【００３１】
この紙製引起し箱２０においては、厚みが約１．６ｍｍの段ボール紙を使用している。折り目ａ１′〜ｄ１′の幅は２．５〜４ｍｍ（この実施の形態では３ｍｍ）となっており、二重線折り目ａ２′〜ｄ２′の幅が５〜８ｍｍ（この実施の形態では６ｍｍ）となっている。これによって、内壁部Ｂ２、Ｄ２と外壁部Ｂ１、Ｄ１の間に十分な隙間を形成して、突出部Ａ１５、Ａ１６、Ｃ１５、Ｃ１６が十分に嵌入できる掛合穴Ｂ５、Ｂ６、Ｄ５、Ｄ６を形成できる。
また、第２の実施の形態に係る紙製引起し箱２０においては、内壁部Ｂ２、Ｄ２の更に外側に設けた箱底当接片Ｂ７、Ｄ７は省略されているが、設けることは自由である。このように、比較的厚みを有する段ボール紙を用いて、工場での組立にあっても平面状となし、使用するときに簡便に箱に組み立てることが可能な紙製引起し箱を提供できる。
【００３２】
（第３の実施の形態）
次に、本発明の第３の実施の形態に係る紙製引起し箱３０を図９〜図１２を参照しながら説明する。
本実施の形態に係る紙製引起し箱３０は、上記した第１及び第２の実施の形態に係る紙製引起し箱１０、２０と異なり、図示しない箱自動組み立て装置を用いて、展開状態の紙製引起し箱３０を平面状に折り畳まれた状態に組み立て可能な構成を有することを特徴とする。なお、本実施の形態は、紙製引起し箱３０を厚肉の段ボール紙を用いて製造する場合である。
【００３３】
図９の展開図において、四角形の箱底部２１の４辺Ａ２０〜Ｄ２０には、折り目ａ２１〜ｄ２１を介して、組立状態では箱の外側壁となる外壁部Ａ２１〜Ｄ２１が連接されている。
外壁部Ａ２１〜Ｄ２１の外辺には、二重線折り目ａ２２〜ｄ２２を介して、組立状態で箱の内側壁となる内壁部Ａ２２〜Ｄ２２がそれぞれ連接されている。
隣り合う外壁部Ａ２１〜Ｄ２１の側端は折り目２２、２３を具備する側板連結片Ｅ２〜Ｈ２を介して連結され、側板連結片Ｅ２〜Ｈ２の中央部分には箱底部２１の角部ａ２０〜ｄ２０に基端を発する内折り目２４がそれぞれ設けられている。そして、箱の組立状態では、側板連結片Ｅ２〜Ｈ２は、外壁部Ａ２１と内壁部Ａ２２との間、及び外壁部Ｃ２１と内壁部Ｃ２２との間に折り込まれる。
【００３４】
内壁部Ａ２２、Ｃ２２の外側に更に折り目ａ２３、ｃ２３を介して箱底当接片Ａ２４、Ａ２５及びＣ２４、Ｃ２５が連結されており、これらの箱底当接片Ａ２４、Ａ２５及びＣ２４、Ｃ２５は、中央部に左右対称に均等配置された切り目ａ２４、ａ２５及びｃ２４、ｃ２５によって分離されている。
内壁部Ｂ２２、Ｄ２２の両側には、それぞれ折り目ｂ２３、ｂ２４及びｄ２３、ｄ２４を介して折り込み片Ｂ２３、Ｂ２４及びＤ２３、Ｄ２４が連結されており、これらの折り込み片Ｂ２３、Ｂ２４及びＤ２３、Ｄ２４は、組立状態では外壁部Ａ２１と内壁部Ａ２２との間、及び外壁部Ｃ２１と内壁部Ｃ２２との間に折り込まれる。
内壁部Ｂ２２、Ｄ２２の中央部には、切り目ｂ２５、ｂ２６及びｄ２５、ｄ２６が左右対称に設けられ、切り目ｂ２５、ｂ２６間及びｄ２５、ｄ２６間には、それぞれ接合部Ｂ２５、Ｄ２５が形成されている。
【００３５】
内壁部Ａ２２、Ｃ２２の横幅は辺Ａ２０、Ｃ２０より僅少の範囲で狭くなって、その中央部には、切り目ａ２４、ａ２５及びｃ２４、ｃ２５が更に内側まで延長され、先端部の表面側には、箱底部２１の周辺部に接合される接合部Ａ２６、Ｃ２６がそれぞれ形成されている。
内壁部Ａ２２、Ｃ２２には、外壁部Ａ２１、Ｃ２１の連結部分の両端部ａ２６、ａ２７及びｃ２６、ｃ２７から、折り目ａ２３、ｃ２３と切り目ａ２４、ａ２５及びｃ２４、ｃ２５との各交点ａ２８、ａ２９及びｃ２８、ｃ２９に向かい、組立状態では平面状となる折り目ａ３０、ａ３１及びｃ３０、ｃ３１が形成されている。
内壁部Ａ２２、Ｃ２２と箱底当接片Ａ２４、Ａ２５、Ｃ２４、Ｃ２５の両側部には突出部Ａ２７、Ａ２８及びＣ２７、Ｃ２８がそれぞれ連接されており、一方、内壁部Ｂ２２、Ｄ２２の両端部には、箱の組立て時に、これらの突出部Ａ２７、Ａ２８及びＣ２７、Ｃ２８がそれぞれ嵌入して止まる掛合穴Ｂ２６、Ｂ２７及びＤ２６、Ｄ２７が設けられている。
【００３６】
上記した構成において、本実施の形態は、内壁部Ｂ２２、Ｄ２２の中央部にも接合部Ｂ２５、Ｄ２５を形成し、この接合部Ｂ２５、Ｄ２５を外壁部Ｂ２１、Ｄ２１の内面下部に接合又は接着したことを特徴とする。
即ち、後述するように、箱自動組み立て装置を用いて、紙製引起し箱３０を組み立てるに際しては、折り曲げ機を用いて内壁部Ｂ２２、Ｄ２２を二重線折り目ｂ２２、ｄ２２を介して内側に折り曲げて、次の工程へ進む際、紙の保有する反発力でせっかく折り曲げた内壁部Ｂ２２、Ｄ２２を元の状態に復帰しようとする。しかし、本実施の形態では、内壁部Ｂ２２、Ｄ２２の中央部にも接合部Ｂ２５、Ｄ２５を形成し、この接合部Ｂ２５、Ｄ２５によって内壁部Ｂ２２、Ｄ２２を外壁部Ｂ２１、Ｄ２１に強力に接合することができるので、このような心配がなく、スムーズに次の工程に進むことができる。
【００３７】
内壁部Ａ２２、Ｃ２２の中央部において切り目ａ２４、ａ２５及びｃ２４、ｃ２５間に形成される部分の先端部に接合部Ａ２６、Ｃ２６が形成されており、この接合部Ａ２６、Ｃ２６は十分な幅を有すると共に箱底当接片Ａ２４、Ａ２５及びＣ２４、Ｃ２５の外周縁より突出しており、十分な面積を有している。従って、接合部Ａ２６、Ｃ２６を箱底部２１の周辺部に接合することによって十分な接合力を確保できる。
【００３８】
図９に示すように、箱底当接片Ａ２４、Ａ２５及びＣ２４、Ｃ２５の先部に、それぞれ、摘まみ片Ａ２９、Ａ３０及びＣ２９、Ｃ３０が取付けられている。この摘まみ片Ａ２９、Ａ３０及びＣ２９、Ｃ３０によって、後述するように、使用後不要となった紙製引起し箱３０を、容易に、再び平板状に折り畳むことができるので、嵩張らず、コンパクトな形態で再使用のために保管したり、あるいは、再生資源として新聞紙等と共に廃棄可能とすることができる。
【００３９】
第１の実施の形態では、折り込み片Ｂ３、Ｂ４、Ｄ３、Ｄ４は４５°の直角三角形状となっている。従って、紙製引起し箱３０を展開状態から平板状に組み立てる際に（一次組立）、一部の紙製引起し３０について、折り込み片Ｂ３、Ｂ４、Ｄ３、Ｄ４を４５°まで折り畳んだ際に、それらの１辺が平行直角に外壁部Ａ２１、Ｃ２１に当たり、折り畳みが不可能となるおそれがある。
そこで、本実施の形態では、図９に示すように、折り込み片Ｂ２３、Ｂ２４、Ｄ２３、Ｄ２４の１辺を円弧状に形成することによって、抵抗なく折り畳めるようにしている。
【００４０】
また、図９に示すように、突出部Ａ２７、Ａ２８及びＣ２７、Ｃ２８は内壁部Ａ２２、Ｃ２２のみならず箱底当接片Ａ２４、Ａ２５、Ｃ２４、Ｃ２５の両側部にも連接されており、これらの突出部Ａ２７、Ａ２８及びＣ２７、Ｃ２８は、箱の組立て時に、掛合穴Ｂ２６、Ｂ２７及びＤ２６、Ｄ２７に嵌入して掛合可能に構成されている。
従って、掛合穴Ｂ２６、Ｂ２７及びＤ２６、Ｄ２７の嵌入後の掛合をより確実なものとすることができる。
【００４１】
次に、展開状態で図９及び図１０（ａ）に示す構成を有する紙製引起し箱３０の工場での一次組立の方法の一例について、図１０を参照しながら説明する。
図１０（ｂ）に示すように、内壁部Ｂ２２、Ｄ２２を、それぞれ、図示しない折り曲げ機を用いて、二重線折り目ｂ２２、ｄ２２を介して内側に１８０度折り曲げて、外壁部Ｂ２１、Ｄ２１に重ねると共に、接合部Ｂ２５、Ｄ２５を外壁部Ｂ２１、Ｄ２１の内面に接着する。この場合、内壁部Ｂ２２、Ｄ２２の両側に設けられている折り込み片Ｂ２３、Ｂ２４、Ｄ２３、Ｄ２４は、側板連結片Ｅ２〜Ｈ２に重なることになる。
【００４２】
その後、図１０（ｃ）に示すように、図示しない折り曲げ機を用いて、外壁部Ｂ２１、Ｄ２１と内壁部Ｂ２２、Ｄ２２からなる二重側壁を折り目ｂ２１、ｄ２１を介して内側に１８０°折り曲げる。
この状態を保持しながら、図１０（ｄ）に示すように、図示しない折り曲げ機を用いて、内壁部Ａ２２、Ｃ２２を二重線折り目ａ２２、ｃ２２を介して内側に１８０度曲げて、接合部Ａ２６、Ｃ２７を箱底部２１の周辺部に接合する。
【００４３】
また、この平面状に折り畳まれた紙製引起し箱３０は、第１の実施の形態に係る紙製引起し箱１０と同様にして使用状態の箱に組み立てられる（二次組立）ことになり、図１１に組み立て後の紙製引起し箱３０を示す。
【００４４】
図１２に使用状態に組み立てられた紙製引起し箱３０を平板状の折り畳まれた状態に戻す手順を示す。
この手順について簡単に説明すると、図１２（ａ）に示すように、摘まみ片Ａ２９、Ａ３０、Ｃ２９、Ｃ３０を摘んで、突出部Ａ２７、Ａ２８及びＣ２７、Ｃ２８を掛合穴Ｂ２６、Ｂ２７及びＤ２６、Ｄ２７から引き抜くことによって、掛合を容易に解除することができる。
次に、図１２（ｂ）に示すように、外壁部Ｂ２１、Ｄ２１と内壁部Ｂ２２、Ｄ２２からなる二重側壁を折り目ｂ２１、ｄ２１を介して内側に９０°折り曲げた後、外壁部Ａ２１、Ｃ２１と内壁部Ｃ２２、Ｃ２２からなる二重側壁を折り目ａ２１、ｃ２１に介して外側に９０°折り曲げる。
その後、図１２（ｃ）に示すように、外壁部Ａ２１、Ｃ２１と内壁部Ｃ２２、Ｃ２２からなる二重側壁に上方から押圧力をかけて、図１２（ｄ）に示すように保管及び廃棄に便利なコンパクトな形態にする。
【００４５】
（第４の実施の形態）
次に、本発明の第４の実施の形態に係る紙製引起し箱４０を図１３を参照しながら説明する。
本実施の形態に係る紙製引起し箱４０は、上記した第３の実施の形態に係る紙製引起し箱３０と、以下の構成を除いて、実質的に同一の構成を有するものであり、紙製引起し箱３０と同様に、図示しない箱自動組み立て装置を用いて、展開状態の紙製引起し箱４０を平面状に折り畳まれた状態に組み立て可能な構成を有することを特徴とする。従って、紙製引起し箱３０と同一の構成要素は同一の符号で示す。なお、本実施の形態は、紙製引起し箱４０をボール紙（コートボール）を用いて製造する場合である。
【００４６】
図１３に示すように、内壁部Ｂ２２、Ｄ２２の更に外側には、箱底当接片Ｂ２８、Ｄ２８が折り目ｂ２７、ｄ２７を介して連接されている。また、箱底当接片Ｂ２８、Ｄ２８の両側には折り目ｂ２７、ｄ２７と直交する方向に伸延する切り目ｂ２８、ｂ２９、ｄ２８、ｄ２９が設けられている。また、箱底当接片Ｂ２８、Ｄ２８の両側端と切り目ｂ２８、ｂ２９、ｄ２８、ｄ２９の間には折り目ｂ３０〜ｂ３３、ｄ３０〜３３が設けられており、折り目ｂ３０、ｂ３２及びｄ３０、ｄ３２の外側には接合部Ｂ２９、Ｂ３０、Ｄ２９、Ｄ３０が設けられており、これらの接合部Ｂ２９、Ｂ３０、Ｄ２９、Ｄ３０は箱底部２１の周辺部に接着される。
かかる箱底当接片２８、Ｄ２８によって、箱底部２１の周囲を補強できると共に、内壁部Ａ２２〜Ｄ２２と箱底部２１の繋がり状態の外観性を向上することができる。
【００４７】
【発明の効果】
請求項１〜３記載の紙製引起し箱は、最終的な組立の段階で接着剤を使用することがなく、内壁部Ａ２、Ｃ２の両側部に設けられた突出部Ａ１５、Ａ１６及びＣ１５、Ｃ１６を、折り目ｂ１、ｄ１を介して連結される側壁の両端部にそれぞれ形成される掛合穴Ｂ５、Ｂ６及びＤ５、Ｄ６に嵌入して止めるようになっているので、組立が極めて簡単である。
更には、従来の紙製引起し箱では困難であった、一旦組み立てた後の紙製引起し箱を更に元の状態の平面状にすることも簡便にできるので、一旦使用された紙製引起し箱の再使用も可能となった。
【００４８】
特に、請求項３記載の紙製引起し箱は、箱底部１１の周囲に連結される外壁部Ａ１、Ｃ１と、外壁部Ａ１、Ｃ１にそれぞれ連結される内壁部Ａ２、Ｃ２の曲げが、それぞれ折り目ａ１、ｃ１及び二重線折り目である折り目ａ２、ｃ２を介して連接されているので、組み立てた外壁部Ａ１、Ｃ１と内壁部Ａ２、Ｃ２との間に隙間が形成される。これによって、掛合穴Ｂ５、Ｂ６及びＤ５、Ｄ６に深さが形成されるので、突出部Ａ１５、Ａ１６及びＣ１５、Ｃ１６を十分に長くして、突出部Ａ１５、Ａ１６及びＣ１５、Ｃ１６の掛かり状態を向上させて、丈夫な紙製引起し箱を提供できる。
【００４９】
【００５０】
【００５１】
【００５２】
【００５３】
【００５４】
【００５５】
【００５６】
【００５７】
【図面の簡単な説明】
【図１】
本発明の第１の実施の形態に係る紙製引起し箱の展開図である。
【図２】
同紙製引起し箱の出荷状態の斜視図である。
【図３】
同紙製引起し箱の組立説明図である。
【図４】
同紙製引起し箱の組立手順の説明図である。
【図５】
同紙製引起し箱の組立手順の拡大説明図である。
【図６】
同紙製引起し箱を組立てた状態の斜視図である。
【図７】
本発明の第２の実施の形態に係る紙製引起し箱の展開図である。
【図８】
同紙製引起し箱の組立説明図である。
【図９】
本発明の第３の実施の形態に係る紙製引起し箱の展開図である。
【図１０】
同紙製引起し箱の組立手順の説明図である。
【図１１】
同紙製引起し箱の組立てた状態の説明図である。
【図１２】
同紙製引起し箱の折り畳み手順の説明図である。
【図１３】
本発明の第４の実施の形態に係る紙製引起し箱の展開図である。
【符号の説明】
１０：紙製引起し箱、１１：箱底部、１２：折り目、１３：折り目、１４：内折り目、２０：紙製引起し箱、２１：箱底部、２２：折り目、２３：折り目、２４：内折り目、３０：紙製引起し箱、４０：紙製引起し箱、Ａ〜Ｄ：辺、Ａ１〜Ｄ１：外壁部、Ａ２〜Ｄ２：内壁部、Ａ５、Ａ６：箱底当接片、Ａ７：接合部、Ａ１５、Ａ１６：突出部、Ａ１７、Ａ１８：側部、Ａ２０：辺、Ａ２１：外壁部、Ａ２２：内壁部、Ａ２４：箱底当接片、Ａ２５：箱底当接片、Ａ２６：接合部、Ａ２７：突出部、Ａ２８：突出部、Ａ２９：摘まみ片、Ａ３０：摘まみ片、ａ〜ｄ：角部、ａ１〜ｄ１：折り目、ａ１′〜ｄ１′：折り目、ａ２〜ｄ２：二重線折り目、ａ２′〜ｄ２′：二重線折り目、ａ３：折り目、ａ４、ａ５：切り目、ａ９、ａ１０：端部、ａ１１、ａ１２：交点、ａ１３、ａ１４：折り目、ａ１７、ａ１８：折り目、ａ２０：角部、ａ２１：折り目、ａ２２：二重線折り目、ａ２３：折り目、ａ２４：切り目、ａ２５：切り目、ａ２６：端部、ａ２７：端部、ａ２８：交点、ａ２９：交点、ａ３０：折り目、ａ３１：折り目、Ｂ３、Ｂ４：折り込み片、Ｂ５、Ｂ６：掛合穴、Ｂ７：箱底当接片、Ｂ２０：辺、Ｂ２１：外壁部、Ｂ２２：内壁部、Ｂ２３：折り込み片、Ｂ２４：折り込み片、Ｂ２５：接合部、Ｂ２６：掛合穴、Ｂ２７：掛合穴、Ｂ２８：箱底当接片、Ｂ２９：接合部、Ｂ３０：接合部、ｂ３、ｂ８：折り目、ｂ９〜ｂ１２：切り込み、ｂ２０：角部、ｂ２１：折り目、ｂ２２：二重線折り目、ｂ２３：折り目、ｂ２４：折り目、ｂ２５：切り目、ｂ２６：切り目、ｂ２７：折り目、ｂ２８：切り目、ｂ２９：切り目、ｂ３０：折り目、ｂ３１：折り目、ｂ３２：折り目、ｂ３３：折り目、Ｃ５、Ｃ６：箱底当接片、Ｃ７：接合部、Ｃ１５、Ｃ１６：突出部、Ｃ１７、Ｃ１８：側部、Ｃ２０：辺、Ｃ２１：外壁部、Ｃ２２：内壁部、Ｃ２４：箱底当接片、Ｃ２５：箱底当接片、Ｃ２６：接合部、Ｃ２７：突出部、Ｃ２８：突出部、Ｃ２９：摘まみ片、Ｃ３０：摘まみ片、ｃ３：折り目、ｃ４、ｃ５：切り目、ｃ９、ｃ１０：端部、ｃ１１、ｃ１２：交点、ｃ１３、ｃ１４：折り目、ｃ１７、ｃ１８：折り目、ｃ２０：角部、ｃ２１：折り目、ｃ２２：二重線折り目、ｃ２３：折り目、ｃ２４：切り目、ｃ２５：切り目、ｃ２６：端部、ｃ２７：端部、ｃ２８：交点、ｃ２９：交点、ｃ３０：折り目、ｃ３１：折り目、Ｄ３、Ｄ４：折り込み片、Ｄ５、Ｄ６：掛合穴、Ｄ７：箱底当接片、Ｄ２０：辺、Ｄ２１：外壁部、Ｄ２２：内壁部、Ｄ２３：折り込み片、Ｄ２４：折り込み片、Ｄ２５：接合部、Ｄ２６：掛合穴、Ｄ２７：掛合穴、Ｄ２８：箱底当接片、Ｄ２９：接合部、Ｄ３０：接合部、ｄ３、ｄ８：折り目、ｄ９〜ｄ１２：切り込み、ｄ２０：角部、ｄ２１：折り目、ｄ２２：二重線折り目、ｄ２３：折り目、ｄ２４：折り目、ｄ２５：切り目、ｄ２６：切り目、ｄ２７：折り目、ｄ２８：切り目、ｄ２９：切り目、ｄ３０：折り目、ｄ３１：折り目、ｄ３２：折り目、ｄ３３：折り目、Ｅ１〜Ｈ１：側板連結片、Ｅ２〜Ｈ２：側板連結片